(57)【要約】【課題】  乾燥装置を通常の乾燥運転以外に使用可能とすることで、使い勝手の改善を図ることができる洗濯乾燥機を提供する。【解決手段】洗濯乾燥機の回転槽４内に連通された吹出し口１４に、吹出し口１４からの風を案内するためのダクト４０を着脱可能に設け、このダクト４０は、外筒４４と内筒４５とを含んで伸縮自在かつ外筒４４と内筒４５との相対位置を保持することができ、そのダクト４０を取り付けることで、温風運転または送風運転が選択可能となり、乾燥装置１９を通常の乾燥物を乾燥させる通常の乾燥運転以外に使用可能とすることで、乾燥可能な対象物に広がりを持たせることができ、使い勝手の改善を図ることができる。【選択図】  図１
2006000191.tif 000002
【特許請求の範囲】
【請求項１】
洗濯装置による洗濯および乾燥装置による乾燥を行うものにおいて、
乾燥装置の洗濯槽に臨む吹出し口に、この吹出し口からの風を案内するためのアタッチメントを着脱可能に装着したことを特徴とする洗濯乾燥機。
【請求項２】
前記アタッチメントは、伸縮可能であると共に事後保持可能な構成であることを特徴とする請求項１記載の洗濯乾燥機。
【請求項３】
前記アタッチメントの装着を検知する検知手段を有し、それに応じた内容の運転を実行可能とすることを特徴とする請求項１または２記載の洗濯乾燥機。
【請求項４】
アタッチメントの装着が検知された場合の運転は、乾燥装置のファンを駆動する運転であることを特徴とする請求項３記載の洗濯乾燥機。
【請求項５】
洗濯装置による洗濯および乾燥装置による乾燥を行うものにおいて、
洗濯物の出し入れ口を開閉する蓋を具備し、
この蓋を開けた状態で、乾燥装置による運転を可能としたことを特徴とする洗濯乾燥機。
【発明の詳細な説明】
【技術分野】
【０００１】
本発明は乾燥装置に改良を加えた洗濯乾燥機に関する。
【背景技術】
【０００２】
近年の洗濯乾燥機は、衣類の洗濯、乾燥を一台で行なえるものである。この洗濯乾燥機は、乾燥装置により、衣類が収容された洗濯槽兼脱水槽たる回転槽の内部に温風を供給しながら、回転槽の回転と該回転槽の内部に設けられた撹拌体の回転とを交互に行なうことにより衣類を撹拌させて、乾燥運転を実行するようになっている（例えば特許文献１参照）。
【特許文献１】特開２００３−２６０２９３号公報
【発明の開示】
【発明が解決しようとする課題】
【０００３】
しかしながら従来によれば、乾燥装置は、洗濯等により水分を帯びた適量の衣類を乾燥することを目的としているため、例えば、衣類の量が少ない場合には、温風の吹出し口と衣類の距離が離れて、温風が直接当たらず乾燥効率が悪くなり、靴等を乾燥させる場合には、温風が靴の中まで行届かずに未乾燥状態になったり、或いは、シワがつかないようにたたまれたセータ等を一枚で乾燥する場合には、温風が当たらない部分があって乾燥むらを生じるといったように、乾燥装置を通常の乾燥運転以外に用いる場合には、使い勝手が悪いといった問題があった。
【０００４】
本発明は上記事情に鑑みてなされたもので、その目的は、乾燥装置を通常の乾燥運転以外に使用可能とすることで、使い勝手の改善を図ることができる洗濯乾燥機を提供するにある。
【課題を解決するための手段】
【０００５】
請求項１記載の発明は、洗濯装置による洗濯および乾燥装置による乾燥を行うものにおいて、乾燥装置の洗濯槽に臨む吹出し口に、この吹出し口からの風を案内するためのアタッチメントを着脱可能に装着したことを特徴とする。
このような構成によれば、乾燥装置の吹出し口に必要に応じて着脱可能なアタッチメントを取り付けることにより、乾燥装置を通常の乾燥運転以外に使用可能とすることで、乾燥可能な対象物に広がりを持たせることができ、使い勝手の改善を図ることができる。
【０００６】
請求項５記載の発明は、洗濯装置による洗濯および乾燥装置による乾燥を行うものにおいて、洗濯物の出し入れ口を開閉する蓋を具備し、この蓋を開けた状態で、乾燥装置による乾燥運転を可能としたことを特徴とする。
このような構成によれば、蓋を開けた状態で、乾燥装置による乾燥運転ができるため、乾燥装置を通常の乾燥運転以外に使用可能とすることで、使い勝手の向上を図ることができる。
【発明の効果】
【０００７】
本発明の洗濯乾燥機によれば、乾燥装置を通常の乾燥運転以外に使用可能とすることで、使い勝手の改善を図ることができる。
【発明を実施するための最良の形態】
【０００８】
以下本発明の一実施例について、図面を参照しながら説明する。
図１は、洗濯乾燥機全体の構成を示す。この図１において、外箱１の内部には、外槽２が弾性支持機構３（一部のみ図示）により支持されて設けられ、この外槽２の内部には、回転槽４が回転可能に設けられる。外槽２には、外槽２内の水位を測定するための水位センサ５２（図８参照）が設けられている。
【０００９】
回転槽４は、内壁５と外壁６との二重壁により構成されており、その内壁５と外壁６との間には、通水・通気スペース７が設けられている。内壁５には、多数の通水・通気孔５ａが形成されていて、通水・通気スペース７と連通し、外壁６の最上部には、通水・通気スペース７と連通するようにして、脱水・脱気孔６ａが例えば横一列に形成され、要するに、通水・通気孔５ａは、通水・通気スペース７を介して脱水・脱気孔６ａと連通されているのである。これらにより、回転槽４が洗濯槽、脱水槽、更には乾燥槽として機能するのである。
【００１０】
回転槽４内の下部には、洗濯（洗い、すすぎ）用の撹拌体１０が回転可能に設けられており、この撹拌体１０と回転槽４とを回転駆動するためのモータ９が、外槽２の下方外側に配設されている。さらに、外槽２の下方外側には、排水弁１１ａが設けられ、この排水弁１１ａからは、回転槽４内の水が外槽２内の排水・排気路１２を通じて排水される。尚、外槽２内の水は排水弁１１ｂを介して排水されるようになっている。そして、外槽２、回転槽４、モータ９および撹拌体１０は、洗濯装置１１を構成する。
【００１１】
外槽２の外側方部には、流路１３が設けられている。この流路１３下側の一端部は、前記排水・排気路１２に接続されており、上側の他端部は、例えば蛇腹形状の吹出し口１４に接続され、この吹出し口１４は、前記外槽２の上縁部に装着された環状の槽カバー１５の後部を貫通して、回転槽４内に連通されている。なお、槽カバー１５には、内蓋１６が開閉可能に設けられている。
【００１２】
上記流路１３の上部には、ファン１７とヒータ１８とが内設されている。そのうち、排水・排気路１２と、流路１３、ファン１７およびヒータ１８は、回転槽４内に風を供給する乾燥装置１９を構成するものである。なお、流路１３を通る湿気を含んだ空気は、その折りに流路１３外の空気により冷却されて凝縮し、除湿されるのである。
外箱１上には、トップカバー２０が装着されており、このトップカバー２０の後内部には、上記流路１３のファン１７及びヒータ１８を配設した部分から先方の部分が配設されると共に、給水弁５３（図８参照）が配設されている。図示はしないが、給水弁５３の一端には、水道の蛇口（図示せず）が接続され、他端には、回転槽４に臨むようにして給水ホースが接続され、その水を回転槽４内に供給するものである。
【００１３】
トップカバー２０の開口部（洗濯物の出し入れ口）２１には、蓋２２が設けられており、この蓋２２は、開口部２１を覆った閉塞状態から二つに折りたたまれて開口部２１が開放された開放状態に開閉可能に構成されている。尚、図示しないが、トップカバー２０には、蓋２２の開閉を検知する蓋スイッチ５１（図８参照）が設けられると共に、蓋２２の閉塞状態を維持させるための蓋ロック機構５４（図８参照）が設けられている。
トップカバー２０の前部には、操作パネル２３が設けられると共に、その下方に位置して制御装置２４が設けられている。このうち、操作パネル２３は、洗濯乾燥機の運転に関する操作を使用者が行うためのものであり、制御装置２４は、洗濯乾燥機の動作全般を制御するものである。
【００１４】
図２は、操作パネル２３の詳細を示す図である。この図２において、操作パネル２３には、電源スイッチ２５、運転開始すると共に運転中の動作を一時的停止するためのスタート・一時停止スイッチ２６が設けられ、さらに、選択スイッチとして、洗いスイッチ２７、すすぎスイッチ２８、脱水スイッチ２９、洗濯スイッチ３０、洗乾スイッチ３１、乾燥スイッチ３２および手動乾燥スイッチ３３が設けられ、使用者は、各種操作スイッチ２７ないし３３を操作することで、表示部３４の各種操作スイッチ２７ないし３３に対応した各種表示部の運転内容を選択することができる。特に、使用者が手動乾燥スイッチ３３により選択可能な運転内容としては、後述する状況に応じて、「温風」３４ａ、「送風」３４ｂ、「蓋開温風」３４ｃおよびオフ３４ｄのパターンが選択可能な運転内容となる。
【００１５】
図１において、吹出し口１４の先端には、吹出し口１４からの風を案内するためのダクト（アタッチメントに相当）４０が着脱可能に設けられている。
図３は、ダクト４０の着脱状態を示す。この図３において、吹出し口１４の先端部には、係合爪部４１ａを有する筒状の取り付け部４１が設けられると共に、例えばリードスイッチ型のダクト取り付けスイッチ４２が配設され、さらに、取り付け部４１には、後述するダクト４０の取り付け部５７が着脱可能に取り付けられる。また、ダクト４０には、ダクト取り付けスイッチ４２と対応するようにマグネット４３が設けられている。ダクト取り付けスイッチ４２は、ダクト４０が吹出し口１４に取り付けられることにより、マグネット４３が接近して、オンされる構成である。
【００１６】
ダクト４０は、外筒４４と内筒４５とを含んで構成されており、図３（ａ）に示す外筒４４の内周側に内筒４５が収納された縮み状態から、図３（ｂ）に示す内筒４５の端部に設けられた凸部４５ａと外筒４４に設けられた凹部４４ａとが嵌り合う伸び状態まで伸縮自在である。さらに、ダクト４０は、内筒４５の凸部４５ａを含む端部と外筒４４の内周面との摩擦により、変化させた外筒４４と内筒４５との相対位置を保持することが可能（事後保持可能）な構成である。
【００１７】
ダクト４０における外筒４４上端部には、二段筒状の取り付け部５７が設けられており、この取り付け部５７には、この取り付け部５７が取り付け部４１に挿入接続されたときに取り付け部４１の係合爪部４１ａに係合する係合爪部５７ａが形成されている。そして、この係合爪部５７ａは、操作片部５７ｂが押圧操作されることにより、係合爪部４１ａとの係合が解除されるようになっている。
【００１８】
図８には、洗濯乾燥機の電気的構成が機能ブロックの組み合わせにより示されている。この図８において、各種操作スイッチ２５ないし３３は、使用者により操作パネル２３の各種操作スイッチ２５ないし３３が操作されると検知信号を発生する。蓋スイッチ５１は、蓋２２が開放されるとオフする。水位センサ５２は、所定の水位ごとに検知信号をレベル出力する。ダクト取り付けスイッチ４２は、取り付け部４１にダクト４０の取り付け部５７が取り付けられるとオンする。制御装置２４は、ＣＰＵ、制御プログラムを記憶したＲＯＭ、およびワーキングエリアのＲＡＭなどを含んだマイクロコンピュータを構成するもので、この制御装置２４には、各種操作スイッチ２５ないし３３、蓋スイッチ５１、水位センサ５２、ダクト取り付けスイッチ４２からの検出信号が入力される構成となっている。また、制御装置２４は、表示部３４を制御し、さらに、給水弁５３、蓋ロック機構５４、排水弁１１ａ，１１ｂ、ファン１７およびヒータ１８それぞれを駆動する駆動回路５５、モータ９を可変速制御するインバータ装置５６に制御信号を出力する。
【００１９】
次に本実施例の作用について、制御装置２４の動作を示す図９に基づいて説明する。
まず、使用者が、通常の洗濯、洗濯乾燥もしくは乾燥を行なう場合、使用者は、洗濯乾燥機の電源スイッチ２５を操作してオンし、回転槽４内に洗濯物を投入すると共に、操作パネル２３による操作を行ない希望する運転内容を選択する。使用者により電源がオンされると、制御装置２４は、洗濯・乾燥運転に関する処理を開始する。
【００２０】
図９は、制御装置２４による洗濯・乾燥運転に関する処理を示すフローチャートである。この図９において、制御装置２４は、ダクト取り付けスイッチ４２からの検出信号（オン信号）があるかを確認する（Ｓ１）。ここで、使用者は、通常の洗濯、乾燥または洗濯乾燥運転を実行させようとしているため、ダクト４０は取り付けられておらず、制御装置２４は、ダクト取り付けスイッチからの信号なしと判断し（Ｓ１：ＮＯ）、「蓋開温風」が選択されているかを確認する（Ｓ１３）。ここでも、使用者は、通常の洗濯、乾燥または洗濯乾燥運転を実行させようとしているため、手動乾燥スイッチ３３以外の操作スイッチを操作して、運転内容を選択するため、制御装置２４は、「蓋開温風」が選択されていないと判断して（Ｓ１３：ＮＯ）、スタート・一時停止スイッチ２６が押されるのを待って（Ｓ１４：ＹＥＳ）、通常の洗濯・乾燥運転に関する処理に移行する（Ｓ１５）。そして、使用者により選択された運転内容に対応した通常の洗濯、乾燥または洗濯乾燥運転が実行されるのである。これら洗濯、乾燥または洗濯乾燥運転において、制御装置２４は、蓋スイッチ５１により閉塞状態を検知した後、蓋ロック機構５４により蓋２２のロックを次のようなタイミングで行なっている。このタイミングは、使用者により選択された運転内容に、洗い行程が入る場合は、洗い行程が終了してすすぎ行程の開始するタイミングであり、洗い行程が含まれない運転では、運転内容を開始するタイミングである。
【００２１】
次に、ダクト４０を取り付けて乾燥運転を行なう場合、使用者は、吹出し口１４にダクト４０の取り付けを行ない、洗濯乾燥機の電源スイッチ２５を操作してオンし、回転槽４内に乾燥物を設置させる。例えば、図１に示すように量が少ない乾燥物を乾燥させる場合、使用者は、吹出し口１４からの風を案内するダクト４０の先端を乾燥物に近づけた状態で、温風運転を行なう。
【００２２】
また、図４は、靴等を乾燥する場合の乾燥例を示す。この図４において、吹出し口１４の先端にダクト４０を取り付け、ダクト４０の先端に二股ダクト４６を取り付け、さらに、この二股ダクト４６のそれぞれの吹出し口４６ａに靴を配置した一例である。
図５は、セータ等を乾燥する場合の乾燥例を示す。この図５において、吹出し口１４の先端にダクト４０を取り付け、さらに、ダクト４０の先端に乾燥袋４７を設けて、この乾燥袋４７の中にセータ等を入れて乾燥させた場合の一例である。尚、乾燥袋４７は、ダクト４０から送られてくる風により膨張し、その中の一部の風が、循環用の吹出し孔４７ａから吹き出すことで循環する構成である。
【００２３】
図６は、外部に乾燥室４８を設置した場合の乾燥例を示す。この図５において、吹出し口１４の先端に例えば蛇腹状のダクト（アタッチメントに相当）４９を設け、このダクト４９は、内蓋１６を開放させると共に蓋２２を開放させることで、ダクト４９は外部に取り出され、そのダクト４９の吹出し口４９ａは、乾燥室４８の接続部４８ａに接続される。この乾燥室４８は、室内に設置された掛棒４８ｂに乾燥物をハンガ等に掛けて乾燥するものである。
【００２４】
そして、使用者は、手動乾燥スイッチ３３を操作することにより運転内容として「温風」あるいは「送風」を選択する。すると、制御装置２４は、電源オンに伴って運転内容に関する処理を実行する。
即ち、図９に示す運転内容に関する処理において、制御装置２４は、ダクト取り付けスイッチ４２からの検知信号ありとし（Ｓ１：ＹＥＳ）、手動乾燥スイッチ３３のみを操作可能とする（Ｓ２）。ここで、使用者は、手動乾燥スイッチ３３のみ操作して、「温風」または「送風」を選択するのである。制御装置２４は、スタート・一時停止スイッチ２６が押されたことを確認すると（Ｓ３：ＹＥＳ）、選択された運転内容が温風運転かを判断する（Ｓ６）。まず、図４に示すように使用者が靴として革靴を乾燥させる場合は縮み等を考慮して送風運転を選択しており、制御装置２４は、「送風」と判断し（Ｓ６：ＮＯ）、ヒータ１８をオフすると共にファン１７をオンし（Ｓ１０，Ｓ１１）、一定時間運転後に終了し（Ｓ１２）、電源をオフする。
【００２５】
次に、図１に示す量が少ない乾燥物を乾燥させる場合、図５に示すように使用者がセータを乾燥させる場合、あるいは、図６に示すように乾燥室４８を利用して乾燥物を乾燥させる場合は、使用者は「温風」を選択しており、制御装置２４は、「温風」と判断し（Ｓ６：ＹＥＳ）、ヒータ１８をオンさせると共に送風ファン１７をオンさせ（Ｓ７，Ｓ８）、一定時間後に終了し（Ｓ１２）、電源をオフする。
【００２６】
尚、通常の洗濯乾燥機は、洗濯・乾燥運転においては蓋ロックを行う構成としている。しかし、本実施例では、通常の洗濯・乾燥運転においては、蓋スイッチ５１により蓋２２の閉塞状態を検知してから蓋ロック機構５４で蓋ロックを行なう作用としたが、ダクト４０が取り付けられた乾燥運転においては、蓋ロックを行なわない構成のため、図６に示すような、蓋２２を開放させて運転させることができる。
【００２７】
図７は、蓋２２を開放させて洗濯物を乾燥する場合を示している。ここでは、例えば、ダクト４０を取り付けることなく、トップカバー２０に掛棒５０を設置して、この掛棒５０にハンガ等に掛けることで、乾燥物を乾燥させる場合を説明する。使用者は、蓋２２を開放状態にし、乾燥物を設置すると共に電源をオンさせ、手動乾燥スイッチ３３を操作して、「蓋開温風」を選択する。すると、制御装置２４は、電源オンに伴って、運転内容に関する処理を開始する。
【００２８】
即ち、図９に示す運転内容に関する処理において、制御装置２４は、ダクト取り付けスイッチ４２からの検知信号はなく（Ｓ１：ＮＯ）、「蓋開温風」が選択されているとし（Ｓ１３：ＹＥＳ）、スタートスイッチ２６が押されるのを待つ（Ｓ１６：ＮＯ）。ここで、ステップ１６がＮＯの場合、ステップ１３に戻っている。制御装置２４は、「蓋開温風」が選択されてスタート・一時停止スイッチ２６が操作されると（Ｓ１３：ＹＥＳ，Ｓ１６：ＹＥＳ）、ヒータ１８をオンすると共にファン１７をオンし（Ｓ１７，Ｓ１８）、所定時間運転後に終了し（Ｓ１９）、電源をオフする。
【００２９】
以上のように本実施例によれば、洗濯乾燥機の回転槽４内に連通された吹出し口１４に、吹出し口１４からの風を案内するためのダクト４０を着脱可能に設けられる。
さらに、このダクト４０は、外筒４４と内筒４５とを含んで構成されており、外筒４４の内周側に内筒４５が収納された縮み状態（図３（ａ））から、内筒４５の端部に設けられた凸部４５ａと外筒４４に設けられた凹部４４ａとが嵌り合う伸び状態（図３（ｂ））まで伸縮自在であり、さらに、内筒４５の凸部４５ａを含む端部と外筒４４の内周面との摩擦により、変化させた外筒４４と内筒４５との相対位置を事後保可能である。
【００３０】
また、吹出し口１４の先端の取り付け部４１には、ダクト取り付けスイッチ４２が設けられ、制御装置２４の運転内容に関する処理において、ダクト取り付けスイッチ４２からの検知信号があると（Ｓ１：ＹＥＳ）、手動乾燥スイッチ３３のみ操作可能とし、「温風」または「送風」が選択できて、温風運転または送風運転が実行可能となる。
【００３１】
このような構成によれば、従来の衣類の量が少ない場合には、従来は温風の吹出し口と乾燥物の距離が離れており温風が乾燥物に直接当たらなかったり、靴等を乾燥させる場合には温風が靴の中まで行届かなかったりしたが、洗濯乾燥機の吹出し口１４に必要に応じて着脱可能なダクト４０、さらには、ダクト４０に二股ダクト４６を取り付けることにより、風を乾燥物まで導くことで、従来では乾燥し難かった乾燥物を乾燥させることができる。さらに、従来は使用者によりシワがつかないようにたたまれたセータ等を一枚で乾燥する場合には乾燥むらが発生し乾燥し難かったりしたが、ダクト４０に乾燥袋４７を設けることで、ダクト４０からの温風を乾燥袋４７の中に充満させながら乾燥を行なうため、温風が当たらないといった事がなく乾燥物全体に温風を行き届かせて乾燥むらを防止することができる。従って、乾燥装置１９を通常の乾燥運転以外に使用可能とすることで、通常の乾燥運転では乾燥し難い乾燥物まで乾燥させることができて、乾燥可能な対象物に広がりを持たせることができ、使い勝手の改善を図ることができる。
【００３２】
加えて、洗濯乾燥機のトップカバー２０の開口部２１には、蓋２２が設けられており、この蓋２２は、開口部２１を覆った閉塞状態から蓋が二つに折りたたまれて開口部２１が開放された開放状態に開閉可能に構成され、制御装置２４の運転内容に関する処理において、ダクト取り付けスイッチ４２からの検知信号があり（Ｓ１：ＹＥＳ）、手動乾燥スイッチ３３の操作により選択された運転が開始されて停止終了するまで（Ｓ２〜Ｓ９、Ｓ２〜Ｓ１２）、および、ダクト取り付けスイッチ４２からの検知信号がなく（Ｓ１：ＮＯ）、手動乾燥スイッチ３３にて「蓋開温風」が選択された運転が開始されて停止終了するまで（Ｓ１３〜Ｓ１９）の間に、蓋ロック機構を動作させていないので、蓋２２が開放状態にて乾燥運転が可能となる。
【００３３】
このような構成によれば、蓋２２を開けた状態で、乾燥装置１９による乾燥運転ができるため、通常の乾燥運転以外として、洗濯乾燥機外に乾燥室４８を設置して乾燥を行なうことができたり、トップカバー２０に掛棒５０を設置し、この掛棒５０にハンガ等に掛けることで、乾燥物を乾燥させたりすることができる。従って、乾燥装置１９を通常の乾燥運転以外に使用可能とすることで、通常の乾燥運転では乾燥し難い乾燥物まで乾燥させることができて、乾燥可能な対象物に広がりを持たせることができ、使い勝手の改善を図ることができる。
【００３４】
（変形例）
上記実施例において、ダクト４０を外筒４４と内筒４５により構成したが、蛇腹形状のダクト４９を、乾燥室４８を利用した乾燥以外に使用してもよく、この場合、ダクト４９は、伸縮可能かつ事後保持可能な通常の蛇腹ホースとする。
上記実施例において、手動乾燥スイッチ３３により、「蓋開温風」を選択可能な構成としたが、「蓋開温風」だけに限らず「蓋開送風」を選択可能とし、蓋開送風を運転可能な構成としてもよい。
【００３５】
上記実施例においては、通常の洗濯・乾燥運転においては、すすぎ行程から蓋ロックを行う構成としたが、洗い行程の開始から蓋ロックを行う構成としてもよい。
上記実施例においては、蓋ロック機構５４を設ける構成としたが、蓋ロック機構５４を省略して構成してもよく、この場合は、洗い行程の開始あるいはすすぎ行程の開始から、蓋検出スイッチ５１からの蓋２２の閉塞状態を確認することで、運転を行なうようにし、さらに、運転中に蓋２２が開放されると運転が停止されるようにしてもよい。
【図面の簡単な説明】
【００３６】
【図１】本発明の一実施例を示す縦断面図
【図２】操作パネルを示す平面図
【図３】（ａ）縮状態のダクトを示す図  （ｂ）伸状態のダクトを示す図
【図４】図１相当図
【図５】図１相当図
【図６】図１相当図
【図７】図１相当図
【図８】洗濯乾燥機の電気的構成を示すブロック図
【図９】制御装置による運転内容に関する処理を示すフローチャート
【符号の説明】
【００３７】
図面中、１は外箱、２は外槽、４は回転槽、９はモータ、１０は撹拌体、１１は洗濯装置、１１ａ，１１ｂは排水弁、１２は排水・排気路、１３は流路、１４は吹出し口、１５は槽カバー、１６は内蓋、１７はファン、１８はヒータ、１９は乾燥装置、２０はトップカバー、２１は開口部、２２は蓋、２３は操作パネル、２４は制御装置、２５は電源スイッチ、２６はスタート・一時停止スイッチ、３３は手動乾燥スイッチ、３４は表示部、３４ａは「温風」、３４ｂは「送風」、３４ｃは「蓋開温風」、３４ｄはオフ、４０はダクト（アタッチメント）、４１は取り付け部、４２はダクト取り付けスイッチ、４３マグネット、４４は外筒、４４ａは凹部、４５は内筒、４５ａは凸部、４６は二股ダクト、４６ａは吹出し口、４７は乾燥袋、４８は乾燥室、４９はダクト（アタッチメント）、４９ａは吹出し口、５０は掛棒、５１は蓋スイッチ、５２は水位センサ、５３は給水弁、５４は蓋ロック機構、５５は駆動回路、５６はインバータ装置、５７は取り付け部を示す。
【図１】
2006000191.tif 000003
【図２】
2006000191.tif 000004
【図３】
2006000191.tif 000005
【図４】
2006000191.tif 000006
【図５】
2006000191.tif 000007
【図６】
2006000191.tif 000008
【図７】
2006000191.tif 000009
【図８】
2006000191.tif 000010
【図９】
2006000191.tif 000011